(57)【要約】【課題】この発明は、脚柱を伸縮させて高さを低・中・高位置の三段階に調節することができる高さ調節式テーブルに関する。【解決手段】脚柱が、脚柱本体と、該脚柱本体の下部を摺動自在に外嵌する外筒部と、該外筒部に固定された脚台とからなっており、脚柱本体内部には、一端側が操作レバーの回転軸に連結され該回転軸を支点として回転する第１リンクと、該第１リンクの下方に上部が枢着され前記第１リンクの回転に連動して前記上部が相対的に前記回転軸の上または下に変位すると共に、第１リンクの回転で上下を反転しうる第２リンクと、該第２リンクの下部に上端が枢着され、下端が外筒部側の固定位置に枢着されて、前記第２リンクの変位に連動して枢動する第３リンクとを内蔵していることを特徴とする。【選択図】    図９
2004254871.tif 000002
【特許請求の範囲】
【請求項１】
テーブルの脚柱の高さを低・中・高位置の三段階に調節しうる高さ調節式テーブルにおいて、
脚柱が、脚柱本体と、該脚柱本体の下部を摺動自在に外嵌する外筒部と、該外筒部に固定された脚台とからなっており、
脚柱本体に、回転軸を脚柱本体内部に貫挿させた操作レバーを設けており、
脚柱本体内部には、一端側が前記回転軸に連結され該回転軸を支点として回転する第１リンクと、該第１リンクの下方に上部が枢着され前記第１リンクの回転に連動して前記上部が相対的に前記回転軸の上または下に変位すると共に、第１リンクの回転で上下を反転しうる第２リンクと、該第２リンクの下部に上端が枢着され、下端が外筒部側の固定位置に枢着されて、前記第２リンクの変位に連動して枢動する第３リンクとを内蔵していることを特徴とする高さ調節式テーブル。
【請求項２】
第２リンクが、中途位置に凹状の第１受部を有する略Ｌ状からなっており、第３リンクは上下両端が曲成されて中途部が第２受部となる略コ字状からなっていることを特徴とする請求項１に記載の高さ調節式テーブル。
【請求項３】
脚柱本体の所定位置にロック受部を設け、操作レバーに該操作レバーの静止位置で上記ロック受部に係止するロック方向に付勢されたロック部を設けてなることを特徴とする請求項１または２に記載の高さ調節式テーブル。
【請求項４】
第２受部が、脚柱の高さ調整ストロークの長さに対応して設定されており、外筒部には前記第２受部内に対応する個所にストッパが固定されて第３リンクの変位に際して前記第２受部の上端または下端と衝合可能となっており、脚柱本体の昇降が設定値を超えて変位しないように規制していることを特徴とする請求項１または２に記載の高さ調節式テーブル。
【請求項５】
脚柱本体の上部には、上端が固定されて下端が下向きに付勢されて伸縮自在な付勢部材を設けており、該付勢部材の下端は第１リンクと第２リンクと第３リンクが変位した際の最上端位置に衝合していることを特徴とする請求項１または２に記載の高さ調節式テーブル。
【請求項６】
外筒部が断面略偏平楕円形状のパイプからなっており、該外筒部の縁部に合成樹脂製で断面チャンネル状のカバーを外嵌してなり、
該カバーが、上記外筒部に収納された脚柱本体の下部との間のスペーサとなると共に、上記脚柱本体の外面とカバーとが接して、脚柱本体がスムーズに上下に摺動しうることを特徴とする請求項１に記載の高さ調節式テーブル。
【発明の詳細な説明】
【０００１】
【発明の属する技術分野】
この発明は脚柱を伸縮させて高さを低・中・高位置の三段階に調節することができる高さ調節式テーブルに関する。
【０００２】
【従来の技術】
従来、脚柱を高さ調節する機構として種々構成が知られているが、高さ調節構造が外部に現れる場合は、衝撃が加わって損傷したり、伸縮部分で身体を挟むおそれなどがあることから、脚柱内に高さ調節機構を内蔵させる構造が用いられている。
しかし、その場合に構成が複雑となったり、あるいは信頼性の点で問題があった。
そこで、本出願人は、特開２００２−３４５５６４の高さ調節式テーブルにおいて、脚柱が、パイプからなる脚柱本体と、該脚柱本体の下部を摺動自在に外嵌する外筒部と、該外筒部に固定された脚台とからなっており、脚柱本体内に、上部にラックを設け下部が脚台側に固定された作動杆を摺動自在に内蔵し、脚柱の外側に設けた操作レバーの回転軸と同軸上で脚柱本体内部に上記ラックと噛合するピニオンを設け、操作レバーの回転、特に操作レバーが上向きまたは下向きとなる１８０度毎の回転でピニオンを介してラックを昇降させ脚柱を伸縮させて高さ調節を行うという構成を提案し、相応の効果を挙げている。
本出願人は、更に研究開発の結果、直列に繋がった三連のリンクを用いてテーブルの脚柱の高さをスムーズに低・中・高位置の三段階に調節しうる高さ調節式テーブルを創案するにいたった。
【０００３】
【特許文献１】特開２００２−３４５５６４（ラックとピニオンを用いて脚柱を伸縮し、テーブルの高さを調節する構造）
【０００４】
【発明が解決しようとする課題】
この発明は、上記事情に鑑みて創案されたものであって、その主たる課題は、三連のリンクを用いて脚柱を昇降させるようにした信頼性の高い高さ調節式テーブルを提供することにある。
【０００５】
【課題を解決するための手段】
上記課題を解決するために、請求項１の発明では、
テーブルの脚柱の高さを低・中・高位置の三段階に調節しうる高さ調節式テーブルにおいて、
脚柱が、脚柱本体と、該脚柱本体の下部を摺動自在に外嵌する外筒部と、該外筒部に固定された脚台とからなっており、
脚柱本体に、回転軸を脚柱本体内部に貫挿させた操作レバーを設けており、
脚柱本体内部には、一端側が前記回転軸に連結され該回転軸を支点として回転する第１リンクと、該第１リンクの下方に上部が枢着され前記第１リンクの回転に連動して前記上部が相対的に前記回転軸の上または下に変位すると共に、第１リンクの回転で上下を反転しうる第２リンクと、該第２リンクの下部に上端が枢着され、下端が外筒部側の固定位置に枢着されて、前記第２リンクの変位に連動して枢動する第３リンクとを内蔵している、という技術的手段を講じている。
請求項２の発明では、
前記第２リンクが、中途位置に凹状の第１受部を有する略Ｌ状からなっており、第３リンクは上下両端が曲成されて中途部が第２受部となる略コ字状からなっている、という技術的手段を講じている。
更に、請求項３の発明では、
前記脚柱本体の所定位置にロック受部を設け、操作レバーに該操作レバーの静止位置で上記ロック受部に係止するロック方向に付勢されたロック部を設けてなる、という技術的手段を講じている。
請求項４の発明では、
第２受部が、脚柱の高さ調整ストロークの長さに対応して設定されており、外筒部には前記第２受部内に対応する個所にストッパが固定されて第３リンクの変位に際して前記第２受部の上端または下端と衝合可能となっており、脚柱本体の昇降が設定値を超えて変位しないように規制している、という技術的手段を講じている。
請求項５の発明では、
前記脚柱本体の上部には、上端が固定されて下端が下向きに付勢されて伸縮自在な付勢部材を設けており、該付勢部材の下端は第１リンクと第２リンクと第３リンクが変位した際の最上端位置に衝合している、という技術的手段を講じている。
請求項６の発明では、
前記外筒部が断面略偏平楕円形状のパイプからなっており、該外筒部の縁部に合成樹脂製で断面チャンネル状のカバーを外嵌してなり、
該カバーが、上記外筒部に収納された脚柱本体の下部との間のスペーサとなると共に、上記脚柱本体の外面とカバーとが接して、脚柱本体がスムーズに上下に摺動しうる、という技術的手段を講じている。
【０００６】
【発明の実施の形態】
以下にこの発明の高さ調節式テーブルを折畳式テーブルに適用した好適実施例について図面を参照しながら説明する。
この折畳式テーブル１は、図１から図３に示すように、天板２と、該天板２に固着された天板支持フレーム３と、これを軸支するブラケット４を上端に有した左右一対の脚柱５とからなっている。
【０００７】
前記天板２の左右両側の中央に設けられた一対の脚柱５は、パイプからなる脚柱本体６と、該脚柱本体６の下部を摺動自在に外嵌する外筒部７と、該外筒部７に固定された脚台８とからなっており、前記脚柱本体６、６間にはその中途位置で横桟部９が横架している。
なお、図示例では、外筒部７の上部側面には略Ｕ字状に切り欠かれたＵ字溝７ａが形成されており、昇降変位する横桟部９や操作レバー２１と衝合しないようになっている（図１０参照）。
また、符号１０は脚台８に取り付けられたキャスタである。
ここで、天板２は、ブラケット４の枢軸点Ｐを支点として天板支持フレーム３が枢着された折畳構造が示されているが、天板２は脚柱５に固定される構造でもよい。
【０００８】
次ぎに、前記脚柱５には、その脚柱本体６内に高さ調節機構が内蔵されている。この高さ調節機構は左右の脚柱５に後述の回転軸２３を介して連動可能に装着されている。
上記脚柱本体６は、本実施例の場合、断面略偏平楕円形状のパイプからなっており、各脚柱本体６の内部には、図４〜図７に示すように、ステンレス製のプレートからなる第１リンク１１と、第２リンク１２と、第３リンク１３とが、それぞれ枢着されている。
【０００９】
一方、脚柱本体６の外側には高さ調節用の操作レバー２１が設けられている。この操作レバー２１は先端にグリップ部を有し、基端は円盤状の基盤部２２に取り付けられており、該基盤部２２の中央には一対の脚柱本体６間を貫通する回転軸２３の一端が固定されている。
この回転軸２３は、図７に示すように、一方の脚柱本体６を貫通して前記横桟部９の中空内を通り、対向する脚柱本体６の内部を貫通して、脚柱本体６に形成された軸受部２８で軸受けされている。
【００１０】
一方、各脚柱本体６内の下方側には、下部が脚台８に固定された固定部１４が内蔵されており、該固定部１４の上端にはブラケット１４ａが形成されており、第３リンク１３の下端部と枢軸を介して枢着点Ｐ３で枢着されている。
この第３リンク１３は、両端が折れ曲がった略コ字状からなっており、中途部分が凹部となる第２受部１３ａに形成されている。
この第２受部１３ａは、脚柱５の高さ調整ストロークの長さに対応してその長さが設定されている。
【００１１】
一方、外筒部７には、図８に示すように、前記第２受部１３ａ内の所定個所にピン状のストッパ３０が固定されており、第３リンク１３の変位に際して前記第２受部１３ａの上端（図４、図９（ａ）参照）または下端（図７、図９（ｃ）参照）と衝合可能となっており、脚柱５本体の昇降が設定値を超えて変位しないように規制している。
【００１２】
そして第１リンク１１は、前記第３リンク１３より上方に離間した位置に配置されており、該第１リンク１１と前記第３リンク１３との間には、下部が前記第３リンク１３の上端部に枢着点Ｐ２で枢着され、上部が第１リンク１１の先端部と枢着点Ｐ１で枢着された第２リンク１２が介設されている。
この第２リンク１２は、中途位置に横向きの凹部からなる第１受部１２ａが形成された略Ｌ状のプレートに形成されている。
【００１３】
次ぎに、前記操作レバー２１の基盤部２２には、図８に明瞭なように、先端に突部２４が形成され後端に摘み部２５を有しており、スプリング２６によりロック解除方向に付勢されて操作レバー２１の回転方向の動きを拘束するためのロック部２７が設けられている。
本実施例で、操作レバー２１は、垂直でグリップが上向きの位置（図９（ａ）（ｃ））と、下向きの位置（図９（ｂ））とでロックされるようになっているので、脚柱本体６には、回転軸２３を中心にしてその真下の位置（１８０度）に円孔からなる第１ロック受部３１が形成され、真上の位置（０度）に同様の第２ロック受部３２が穿設されている。
【００１４】
従って、まずロック部２７の摘み部２５を外側に引っ張ってその先端の突部２４を第１ロック受部３１（または第２ロック受部３２）から外して、フリーになった操作レバー２１を１８０度回転させる。すると、その位置で第２ロック受部３２（または第１ロック受部３１）とロック部２７の先端の突部２４とが整合して突部２４が上記孔に没入し、自動的にその位置で操作レバー２１がロックされる。更に回転させる場合には、前述のようにロック部２７を外側に引いて外せばよい。
【００１５】
次ぎに、前記固定部１４は、一対の平行する小径のパイプ１５と、その上下両端に掛け渡されて固定された連結板１６、１７とからなっており、上部の連結板１６の中央にはブラケット１４ａが固設されている。
そして、前記固定部１４は、外筒部７の内部でその下部の連結板１７が固定ボルト１８により外筒部７および脚台８に固定されており、前記脚柱本体６が、固定部１４に上から中途位置まで外嵌して、上下に摺動しうるようになっている。図示例では、前記下部の連結板１７にネジ孔が刻設されており、脚台８の中空内には上記ネジ孔と連通するナット１９が固定されており、固定ボルト１８でネジ孔およびナット１９に螺着して外筒部７と脚台８とを一体に固定した構造となっている。
【００１６】
上記構成のもとで、図４、図９（ａ）は脚柱５が高位置の場合、即ち、本実施例ではテーブル１の全高が７５０ｍｍの場合（図２参照）を示しており、前記回転軸２３をリンク機構の最上位置とし、脚柱本体６内で前記第１リンクから第３リンク１１〜１３の枢着点Ｐ１、Ｐ２、Ｐ３が直線状に並んで、脚柱本体６を外筒部７に対して最大に引き上げている。
またこの状態で、前記操作レバー２１は、グリップが脚柱５に沿って起立する真上位置に設定されている。
【００１７】
この状態で、脚柱５を中位置、即ち、本実施例ではテーブルの全高が７００ｍｍとなるまで下げるには、操作レバー２１を真下になるように１８０回転する。これにより、第１リンク１１が前記回転軸２３を支点にして１８０度回転して第１リンク１１の上下を転倒させ、枢着点Ｐ１が最上位置となるように変位する。
【００１８】
この第１リンク１１の回転で、第２リンク１２は上下の姿勢を維持したまま移動して第１リンク１１と重なり、前記回転軸２３が第１受部１２ａと衝合する位置まで引き上げられ、脚柱５が中位置まで縮む（図５、図９（ｂ）参照）。
この状態で、操作レバー２１は、脚柱５に沿って下向きになっているので、そのロック部２７が第２ロック受部３２に突入して固定される。
【００１９】
更に、操作レバー２１を同一方向に９０度回転させると、図６に示すように、第１リンク１１と第２リンク１２は共に横向きの姿勢に変位し、この際に第３リンク１３は枢着点Ｐ３を支点にして、脚柱本体６の空間内で傾動する。
更に、９０度回転し、図５の中位置から１８０度回転（全部で１回転）させると、図７に示すように、第２リンク１２が上下を転倒して下部の枢着点Ｐ２が相対的に最上位置になるように変位する（図９（ｃ）参照）。
【００２０】
この第２リンク１２の回転により、第３リンク１３の上端部が最上位置になるまで脚柱本体６が引き下げられるので、脚柱５は最短となる低位置、即ち、本実施例ではテーブルの全高が６５０ｍｍとなるまで脚柱５を縮めることができる。この状態で、前述のように操作レバー２１は、再度、脚柱５に沿って上向きとなり（図９（ｃ）参照）、ロック部２７が第１ロック受部３１に突入して固定される。
【００２１】
テーブル１の高さを上げる場合には、前記手順とは逆に、操作レバー２１を逆方向に回転すればよい。
操作レバー２１の逆回転により、第１リンク１１は逆方向に回転するので、第２リンク１２、第３リンクは前記手順とは逆の状態で変位して、脚柱５を低位置から中位置、高位置に順次伸張させることができる。
【００２２】
また、この実施例では、前記高さ調節構造が正しく作動するように、脚柱本体６の上部に逆転防止用に付勢部材４０を設けている（図４から図７参照）。
この付勢部材４０は、加圧用の軸部４１と、該軸部４１の上部を嵌挿して上下動をガイドすると共に付勢用のコイルスプリング４２の上端を掛止めたボックス状の支承部４３と、前記軸部４１の先端に固定されると共に前記コイルスプリング４２の下端を掛け止めて下向きに付勢された押圧板４４とからなっている。
【００２３】
そして、前述のように第１リンク１１の回転に伴って、最上位置となる第１リンク１１、第２リンク１２または第３リンク１３の最上端には、軸部４１の上下動によって、下向きに付勢された押圧板４４が常時衝合するようになっている。これによって、前記押圧板４４は、前記リンクの最上端を回転方向に付勢するので、リンクの回転力を軽減し、またその回転の逆転を防止することができる。
【００２４】
更に、本実施例では、図９（ｂ）に示すように、外筒部７の上端には、その縁部に合成樹脂製で断面チャンネル状のカバー３７を外嵌している。
該カバー３７は、図９（ａ）で明瞭なように平面半円弧形状からなっており、上記外筒部７に収納された脚柱本体６の下部との間のスペーサとなって脚柱本体６のガタつきを抑えると共に、上記脚柱本体６の外面とカバー３７の表面とが接して、脚柱本体６がスムーズに上下に摺動しうる滑動面となっている。
【００２５】
この実施例では、テーブル１の高さ調節を６５０ｍｍ、７００ｍｍ、７５０ｍｍの３段階に調節可能としたが、この高さは前記実施例に限らず、所望の高さ、および間隔に設定することができる。
更に、ロック部２７は操作レバー２１の動きを拘束する構成としたが、第１〜第３リンクまたは回転軸のいずれかを拘束する構成であってもよい。
その他要するにこの発明の要旨を変更しない範囲で種々設計変更しうること勿論である。
【００２６】
【発明の効果】
上記のようにこの発明では、脚柱本体に内蔵される高さ調節構造に三連のリンクを用い、第１リンクの回転で、これに連動する第２リンクと、第３リンクを変位して脚柱本体を外筒部に対して伸縮して脚柱の高さ調節を行うようにしたので、簡単な構造でありながら、簡単且つ確実に高さ調節を行うことができる。
【図面の簡単な説明】
【図１】折畳式テーブルの天板を折畳んだ状態の中位置における高さ調節式テーブルの側面図である。
【図２】同天板を展開した状態で低位置における高さ調節式テーブルの側面図であって、中位置の天板を仮想線で、高位置の天板を点線で示した説明図である。
【図３】図２のテーブルの展開状態の正面図である。
【図４】高位置の場合の脚柱の一部を示す断面図である。
【図５】中位置の場合の脚柱の一部を示す断面図である。
【図６】中位置と低位置の中間における場合の脚柱の一部を示す断面図である。
【図７】低位置の場合の脚柱の一部を示す断面図である。
【図８】図５に対応する一対の脚柱の高さ調節構造の異なる角度の断面図である。
【図９】（ａ）は高位置、（ｂ）は中位置、（ｃ）は低位置におけるリンクの状態を示す説明図である。
【図１０】（ａ）は外筒部の上部の断面図、（ｂ）は側面図である。
【符号の説明】
１          折畳式テーブル
２          天板
３          天板支持フレーム
４          ブラケット
５          脚柱
６          脚柱本体
７          外筒部
８          脚台
９          横桟部
１０          キャスタ
１１          第１リンク
１２          第２リンク
１３          第３リンク
１４          固定部
２１          操作レバー
２２          基盤部
２３          回転軸
２４          突部
２５          摘み部
２６          スプリング
２７          ロック部
２８          軸受部
３０          ストッパ
３１          第１受部
３２          第２受部
４０          付勢部材
【図１】
2004254871.tif 000003
【図２】
2004254871.tif 000004
【図３】
2004254871.tif 000005
【図４】
2004254871.tif 000006
【図５】
2004254871.tif 000007
【図６】
2004254871.tif 000008
【図７】
2004254871.tif 000009
【図８】
2004254871.tif 000010
【図９】
2004254871.tif 000011
【図１０】
2004254871.tif 000012